(57)【要約】【課題】    プリンタでの印字や、読み取り装置によるステッカー本体に記録されている情報の読み取りに適し、かつ剥離後の取り扱い性に優れた駐車違反ステッカーを得る。【解決手段】    表面を違反情報記録面１としたステッカー本体２の裏面全部に、再剥離粘着剤層３と剥離紙４を設け、前記剥離紙４には、少なくとも１辺縁部の一部或いは全部又は１角隅部を未剥離部４ａとして残すためのスリット１２を形成することにより、駐車違反ステッカーに厚さの変化を無くし、カールも少なくして、プリンタを使用しての違反情報等の記録を障害無く容易に行うことができるようにするとともに、ステッカー本体２に残っている剥離紙により貼着されないで浮いた部分を摘むことにより、ステッカー本体２を被貼着面から容易に且つ綺麗に剥離することができるようにした。【選択図】    図２
2006195446.tif 000002
【特許請求の範囲】
【請求項１】
表面を違反情報記録面としたステッカー本体の裏面全部に、再剥離粘着剤層と剥離紙が設けられ、前記剥離紙には、少なくとも１辺縁部の一部或いは全部又は１角隅部を未剥離部として残すためのスリットが形成されていることを特徴とする駐車違反ステッカー。
【請求項２】
表面を違反情報記録面としたステッカー本体の裏面全部に、再剥離粘着剤層と剥離紙が設けられ、前記剥離紙には、４辺縁部を剥離部とし、該４辺縁部の内側を未剥離部として残すためのスリットが形成されていることを特徴とする駐車違反ステッカー。
【請求項３】
表面長手方向に違反情報記録面を有するステッカー本体単票表示部が連続して表示された帯状のステッカー本体連続表示シートの裏面に、再剥離粘着剤層と帯状の剥離紙が設けられてステッカー基シートが形成され、該ステッカー基シートに、前記長手方向に連続して表示されている各ステッカー本体単票表示部を仕切る位置に切断用のミシン目が設けられ、該ミシン目で仕切られた各剥離紙単票には、ステッカー本体単票表示部毎にミシン目で仕切られたステッカー本体連続表示シートで構成されるステッカー本体となるステッカー本体単票の、少なくとも１辺縁部の一部或いは全部又は１角隅部を未剥離部として残すためのスリットが形成されていることを特徴とする駐車違反ステッカー。
【請求項４】
表面長手方向に違反情報記録面を有するステッカー本体単票表示部が連続して表示された帯状のステッカー本体連続表示シートの裏面に、再剥離粘着剤層と帯状の剥離紙が設けられてステッカー基シートが形成され、該ステッカー基シートに、前記長手方向に連続して表示されている各ステッカー本体単票表示部を仕切る位置に切断用のミシン目が設けられ、該ミシン目で仕切られた各剥離紙単票には、ステッカー本体単票表示部毎にミシン目で仕切られたステッカー本体連続表示シートで構成されるステッカー本体となるステッカー本体単票の、４辺縁部を剥離部とし、該４辺縁部の内側を未剥離部として残すためのスリットが形成されていることを特徴とする駐車違反ステッカー。
【請求項５】
前記ステッカー本体には、剥離紙を剥離した後のステッカー本体をその裏面同士を重ねるように折り返し、ステッカー本体の裏面に露出している再剥離粘着剤層を隠蔽するための折り返し位置を表示する折り線表示部が設けられていることを特徴とする請求項１，２，３又は４に記載の駐車違反ステッカー。
【請求項６】
前記折り線表示部はステッカー本体の中間位置でステッカー本体を区分するように設けられ、この折り線表示部が設けられた中間位置の両側或いはいずれか一方の面が違反情報記録面となっていることを特徴とする請求項５に記載の駐車違反ステッカー。
【発明の詳細な説明】
【技術分野】
【０００１】
本発明は、駐車違反をしている車両に貼着する駐車違反ステッカーに関する。
【背景技術】
【０００２】
駐車、停車禁止の路上に一定時間以上駐車すると駐車違反となる。駐車違反の取り締まりとして、警察官や交通巡視員が違反車両を発見すると、駐車違反ステッカーを違反車両のミラーなどに取り外し不能に吊り下げることが行われており、違反者は、車両とともに警察に行かなければならず、そして、違反者には反則金等が科せられる。
【０００３】
また、最近は、違反車両の取り締まりをより確実にするために、警察官や交通巡視員が携帯する携帯端末と警察のホスト装置とを接続して違反車両の車両情報を取り出し、前記違反情報とともにバーコードにした違反車両の車両情報をプリンタを用いて記録し、駐車違反ステッカーを車両に貼り付ける駐車違反取締システムが提案されている（例えば、特許文献１参照。）。
【特許文献１】特開２００３−１２３１８２号公報
【発明の開示】
【発明が解決しようとする課題】
【０００４】
前記駐車違反ステッカーは、表面に違反確認日時、確認者、連絡先、違反状況等の違反情報を記録する違反情報記録欄と違反者に対する注意事項を記載した注意事項表示部が設けられているステッカー本体の裏面に、再剥離粘着剤層と剥離紙を設けたものとし、警察官や交通巡視員により、違反確認日時、確認者、連絡先、違反状況等の違反情報が記録され違反車両に貼着された後、違反者はこれを剥がして警察に持参することが考えられる。この場合、違反車両に貼着した駐車違反ステッカーの剥離を容易にするために、ステッカー本体の裏面の一部にのみ再剥離粘着剤層と剥離紙が設けられていることが望ましい。
【０００５】
しかし、例えば、プリンタを使用して違反情報等を記録、即ち印字する場合、駐車違反ステッカーに剥離紙がある部分と無い部分に厚さの差が生じ、プリンタによる記録に障害が生じる場合があるといった問題がある。また、ステッカー本体の裏面の一部にのみ再剥離粘着剤層が設けられていると、違反車両から剥がしたステッカー本体がカールしてしまい、読み取り装置によるステッカー本体に記録されている情報の読み取りが困難となる場合があるといった問題がある。
【０００６】
また、駐車違反ステッカーは、違反者が車両から剥がして警察に持参する際、再剥離粘着剤層が露出していると貼り付いたりベタ付くため、例えば、中央で２つ折りして裏面同士を接着させるなど、取り扱いが良好なことも必要である。
【０００７】
本発明の目的は、プリンタでの印字や、読み取り装置によるステッカー本体に記録されている情報の読み取りに適し、かつ剥離後の取り扱い性に優れた駐車違反ステッカーを提供するところにある。
【課題を解決するための手段】
【０００８】
上記の目的を達成するために、請求項１に記載の駐車違反ステッカーは、表面を違反情報記録面としたステッカー本体の裏面全部に、再剥離粘着剤層と剥離紙が設けられ、前記剥離紙には、少なくとも１辺縁部の一部或いは全部又は１角隅部を未剥離部として残すためのスリットが形成されていることを特徴とする。
【０００９】
請求項２に記載の駐車違反ステッカーは、表面を違反情報記録面としたステッカー本体の裏面全部に、再剥離粘着剤層と剥離紙が設けられ、前記剥離紙には、４辺縁部を剥離部とし、該４辺縁部の内側を未剥離部として残すためのスリットが形成されていることを特徴とする。
【００１０】
請求項３に記載の駐車違反ステッカーは、表面長手方向に違反情報記録面を有するステッカー本体単票表示部が連続して表示された帯状のステッカー本体連続表示シートの裏面に、再剥離粘着剤層と帯状の剥離紙が設けられてステッカー基シートが形成され、該ステッカー基シートに、前記長手方向に連続して表示されている各ステッカー本体単票表示部を仕切る位置に切断用のミシン目が設けられ、該ミシン目で仕切られた各剥離紙単票には、ステッカー本体単票表示部毎にミシン目で仕切られたステッカー本体連続表示シートで構成されるステッカー本体となるステッカー本体単票の、少なくとも１辺縁部の一部或いは全部又は１角隅部を未剥離部として残すためのスリットが形成されていることを特徴とする。
【００１１】
請求項４に記載の駐車違反ステッカーは、表面長手方向に違反情報記録面を有するステッカー本体単票表示部が連続して表示された帯状のステッカー本体連続表示シートの裏面に、再剥離粘着剤層と帯状の剥離紙が設けられてステッカー基シートが形成され、該ステッカー基シートに、前記長手方向に連続して表示されている各ステッカー本体単票表示部を仕切る位置に切断用のミシン目が設けられ、該ミシン目で仕切られた各剥離紙単票には、ステッカー本体単票表示部毎にミシン目で仕切られたステッカー本体連続表示シートで構成されるステッカー本体となるステッカー本体単票の、４辺縁部を剥離部とし、該４辺縁部の内側を未剥離部として残すためのスリットが形成されていることを特徴とする。
【００１２】
請求項５に記載の駐車違反ステッカーは、請求項１，２，３又は４に記載の、前記ステッカー本体には、剥離紙を剥離した後のステッカー本体を、その裏面同士を重ねるように折り返し、ステッカー本体の裏面に露出している再剥離粘着剤層を隠蔽するための折り返し位置を表示する折り線表示部が設けられていることを特徴とする。
【００１３】
請求項６に記載の駐車違反ステッカーは、請求項５に記載の、前記折り線表示部はステッカー本体の中間位置でステッカー本体を区分するように設けられ、この折り線表示部が設けられた中間位置の両側或いはいずれか一方の面が違反情報記録面となっていることを特徴とする。
【発明の効果】
【００１４】
請求項１に記載の駐車違反ステッカーによれば、表面を違反情報記録面としたステッカー本体の裏面全部に、再剥離粘着剤層と剥離紙が設けられているので、駐車違反ステッカーに厚さの変化がなく、また、カールも少ないことから、プリンタを使用する違反情報等の記録を障害無く容易に行うことができるものとなる。また、前記剥離紙には、少なくとも１辺縁部の一部或いは全部又は１角隅部を未剥離部として残すためのスリットが形成されているので、違反車両に貼着するに際し、ステッカー本体の再剥離粘着剤層に設けた剥離紙を、スリットで分離されている１辺縁部の一部或いは全部又は１角隅部を未剥離部として残して除去し、違反車両に貼着すると、ステッカー本体の剥離紙の一部が残っている１辺縁部の一部或いは全部又は１角隅部の未剥離部が被貼着面から浮いた状態となり、ステッカー本体を違反車両の被貼着面から剥離する際に、前記ステッカー本体の被貼着面から浮いた部分を摘むことにより、容易に且つ綺麗に剥離することができる。
【００１５】
請求項２に記載の駐車違反ステッカーによれば、表面を違反情報記録面としたステッカー本体の裏面全部に、再剥離粘着剤層と剥離紙が設けられているので、駐車違反ステッカーに厚さの変化がなく、また、カールも少ないことから、プリンタを使用する違反情報等の記録を障害無く容易に行うことができるものとなる。また、前記剥離紙には、４辺縁部を剥離部とし、該４辺縁部の内側を未剥離部として残すためのスリットが形成されているので、違反車両に貼着するに際し、ステッカー本体の再剥離粘着剤層に設けた剥離紙を、スリットで分離されている内側を未剥離部として残して除去し、違反車両に貼着することにより、ステッカー本体と違反車両の接着部分が少なく、ステッカー本体を違反車両の被貼着面から剥離する際に、容易に且つ綺麗に剥離することができる。
【００１６】
請求項３に記載の駐車違反ステッカーによれば、表面にステッカー本体単票表示部が連続して表示された帯状のステッカー本体連続表示シートの裏面に、再剥離粘着剤層と帯状の剥離紙が設けられてステッカー基シートが形成されているので、携帯時にはステッカー基シートをロール状としておき、使用の際にステッカー基シートに設けられたミシン目からステッカー本体単票を切り離してステッカー本体として使用することがきるので、取り扱いに便利となる。また、ステッカー基シートから切り離したステッカー本体は厚さの変化がないので、プリンタを使用する違反情報等の記録を障害無く容易に行うことができるものとなる。
【００１７】
また、ステッカー基シートからステッカー本体単票を切り離すことなく、ロール状のままプリンタに供給して記録を行った後、ステッカー基シートからステッカー本体単票を切り離してステッカー本体として使用することもできる。
【００１８】
また、前記剥離紙単票には、ステッカー本体単票の、少なくとも１辺縁部の一部或いは全部又は１角隅部を未剥離部として残すためのスリットが形成されているので、違反車両に貼着するに際し、ステッカー本体単票からなるステッカー本体の再剥離粘着剤層に設けられている前記剥離紙を、スリットで分離されている１辺縁部の一部或いは全部又は１角隅部が未剥離部として残り、１辺縁部の一部或いは全部又は１角隅部以外は剥離部となって再剥離粘着剤層が露出するように切り離し、違反車両に貼着すると、ステッカー本体の剥離紙の一部が残っている１辺縁部の一部或いは全部又は１角隅部の未剥離部が被貼着面から浮いた状態となり、ステッカー本体を違反車両の被貼着面から剥離する際に、前記ステッカー本体の被貼着面から浮いた部分を摘むことにより、容易に且つ綺麗に剥離することができる。
【００１９】
請求項４に記載の駐車違反ステッカーによれば、表面にステッカー本体単票表示部が連続して表示された帯状のステッカー本体連続表示シートの裏面に、再剥離粘着剤層と帯状の剥離紙が設けられてステッカー基シートが形成されているので、携帯時にはステッカー基シートをロール状としておき、使用の際にステッカー基シートに設けられたミシン目からステッカー本体単票を切り離してステッカー本体として使用することがきるので、取り扱いに便利となる。また、ステッカー基シートから切り離したステッカー本体は厚さの変化がないので、プリンタを使用する違反情報等の記録を障害無く容易に行うことができるものとなる。
【００２０】
また、ステッカー基シートからステッカー本体単票を切り離すことなく、ロール状のままプリンタに供給して記録を行った後、ステッカー基シートからステッカー本体単票を切り離してステッカー本体として使用することもできる。
【００２１】
また、前記剥離紙単票には、ステッカー本体単票の、４辺縁部を剥離部とし、該４辺縁部の内側を未剥離部として残すためのスリットが形成されているので、違反車両に貼着するに際し、ステッカー本体の再剥離粘着剤層に設けた剥離紙を、スリットで分離されている内側を未剥離部として残して除去し、違反車両に貼着することにより、ステッカー本体と違反車両の接着部分が少なく、ステッカー本体を違反車両の被貼着面から剥離する際に、容易に且つ綺麗に剥離することができる。
【００２２】
請求項５に記載の駐車違反ステッカーによれば、請求項１，２，３又は４に記載の、前記ステッカー本体には、剥離紙を剥離した後のステッカー本体を、その裏面同士を重ねるように折り返し、ステッカー本体の裏面に露出している再剥離粘着剤層を隠蔽するための折り返し位置を表示する折り線表示部が設けられているので、違反車両に貼着したステッカー本体を剥離した後、このステッカー本体に未剥離部として残っている剥離紙を除去するとともに、ステッカー本体を前記折り線表示部から山折りしてステッカー本体の裏面同士を接着することにより、ステッカー本体の裏面に露出している再剥離粘着剤層を隠蔽することができ、ステッカー本体の取り扱いが容易となり、また皺が付き難くなるので、読み取り装置によるステッカー本体の違反情報記録面に記録されている違反情報の読み取りを容易に行うことができるものとなる。また、ステッカー本体に未剥離部として残っている剥離紙を除去せずに、ステッカー本体を前記折り線表示部から山折りしてステッカー本体の裏面同士を接着することにより、ステッカー本体の裏面に露出している再剥離粘着剤層を隠蔽することもできる。
【００２３】
請求項６に記載の駐車違反ステッカーによれば、請求項５に記載の、前記折り線表示部はステッカー本体の中間位置でステッカー本体を区分するように設けられ、この折り線表示部が設けられた中間位置の両側或いはいずれか一方の面が違反情報記録面となっているので、違反車両に貼着したステッカー本体を剥離した後、このステッカー本体に未剥離部として残っている剥離紙を除去するとともに、ステッカー本体を前記折り線表示部から山折りしてステッカー本体の裏面同士を接着することにより、ステッカー本体の取り扱いが容易となり、また皺が付き難くなるので、読み取り装置によるステッカー本体の違反情報記録面に記録されている違反情報の読み取りを容易に行うことができるものとなる。また、ステッカー本体に未剥離部として残っている剥離紙を除去せずに、ステッカー本体を前記折り線表示部から山折りしてステッカー本体の裏面同士を接着することにより、ステッカー本体の裏面に露出している再剥離粘着剤層を隠蔽することもできる。
【発明を実施するための最良の形態】
【００２４】
［第１例］
図１乃至図３は本発明に係る駐車違反ステッカーを実施するための最良の形態の第１例を示したもので、図１は本例の平面図、図２は底面図、図３は図１のＡ−Ａ線断面図である。
【００２５】
本例の駐車違反ステッカーは、表面を違反情報記録面１としたステッカー本体２の裏面全部に、再剥離粘着剤層３と剥離紙４が設けられている。
【００２６】
・折り線表示部
前記ステッカー本体２には、前記剥離紙４を剥離した後のステッカー本体２を、その裏面同士を重ねるように折り返し、ステッカー本体２の裏面に露出している再剥離粘着剤層３を隠蔽するための折り返し位置を表示する折り線表示部５が設けられている。前記ステッカー本体２の表面に設けられた折り線表示部５にあっては、折り線表示部５の位置で正確に折り、かつ折り易くするために、本例ではミシン目で形成されている。ミシン目の他に、印刷によって直線や点線を表示するなどしてもよい。
【００２７】
また、ミシン目の場合は、長手方向のそれぞれの両端に達しないように形成することが好ましい。両端までミシン目が形成されている場合、プリンタでの違反情報記録時、あるいは後述するようにロール状にして携帯する際に、その部分から剥がれ易くなるおそれがある。
【００２８】
・違反情報記録面
本例では、前記ステッカー本体２の表面が、長手方向の中間位置で区分けされ、前記中間位置に前記折り線表示部５が設けられており、前記折り線表示部５の両側の面が前記違反情報記録面１となっている。前記違反情報記録面１には、駐車違反マーク６や違反確認日時、確認者、連絡先、違反状況等の違反情報及び違反車両情報を表示するバーコード等を記録する違反情報記録欄７や違反者に対する注意事項を記載した注意事項表示部８が設けられている。違反情報記録面１における各欄および各事項のレイアウトは適宜設定可能である。
【００２９】
・ステッカー本体
表面に前記のような違反情報記録面１を有するステッカー本体２は、紙、合成紙、合成樹脂シート等、特に限定されるものではないが、屋外で使用されることから、耐水性、耐熱性、耐光性等に優れるものが好ましい。本例ではステッカー本体２として紙９が用いられており、その裏面にポリプロピレン、ポリエチレン、ポリエチレンテレフタレート等の合成樹脂フィルム１０が積層されている。
【００３０】
また、前記ステッカー本体２の前記違反情報記録面１の違反情報記録欄７への違反確認日時、確認者、連絡先、違反状況等の違反情報及び違反車両情報を表示するバーコード等の記録は、サーマルプリンタにより印字して記録できるようになっており、そのため、本例でステッカー本体２に用いられている紙９は、その表面に感熱記録層１１を設けた感熱紙となっている。
【００３１】
なお、本例では、サーマルプリンタは携帯可能に小型化されたものがあり、好適であるため感熱紙としているが、この他に、ドットインパクトプリンタ、レーザープリンタ、インクジェットプリンタにより印字して記録できるようにしてもよいことはもちろんであり、インクジェットプリンタの場合は、ステッカー本体２に用いられている紙９として普通紙タイプあるいはインク受理層を設けた塗工紙タイプのインクジェット記録用紙が用いられることになる。
【００３２】
・再剥離粘着剤層
前記ステッカー本体２の裏面全部には、前記再剥離粘着剤層３が設けられているが、再剥離粘着剤層３には公知の再剥離粘着剤が使用されるものであって、特に限定されない。再剥離粘着剤とは、伝言や取り次ぎ事項等を記入した後、剥がし取ってデスク等に貼り付けることができるメモ用紙等に使用される粘着剤であり、アクリルエマルジョン系の弱粘着剤等が挙げられる。本発明では、車両から簡単に剥がれ落ちることがないように強固に接着しつつ、剥離可能であるものが好ましい。
【００３３】
・剥離紙
また、前記再剥離粘着剤層３に設けられている剥離紙４にあっては、本例では耐湿性を有するグラシン紙が使用されている。剥離紙４は、スレッカー本体２を違反車両に貼着する使用時に剥がれ易く、携帯時は剥離紙４の剥がれが起こらない必要があるが、後に述べるように、表面にステッカー本体単票表示部が連続して表示された帯状のステッカー本体連続表示シートの裏面に再剥離粘着剤層と帯状の剥離紙が設けられたステッカー基シートから、ステッカー本体単票を切り離してステッカー本体として使用する場合に、ステッカー基シートをロール状にすると、特にステッカー本体から剥離紙の端部が剥離するといった障害が起こり易い。更に、本発明ではスリットが形成されているため、剥離紙の剥がれがより起こり易い。
【００３４】
従って、本発明においては、一般のラベル等に比べて強い剥離強度を有することが望ましく、１８０°剥離試験（速度０．３ｍ／分）において２００ｍＮ／５０ｍｍ以上、好ましくは、３００ｍＮ／５０ｍｍ以上、より好ましくは、４００ｍＮ／５０ｍｍ以上であると好適である。剥離強度の上限は特に制限されないが、２０００ｍＮ／５０ｍｍ以下程度である。
【００３５】
上記のような剥離強度は、粘着剤の種類、剥離紙４の種類、およびその他の加工条件によって適宜調整可能である。剥離紙４としては、一般のラベル等で使用されるシリコーン加工した剥離紙の他、蒸しパンやお菓子などの食料品の台紙として使用されるグラシン紙やパラフィン紙が挙げられるが、これらに限定されるものではない。
【００３６】
・スリット
前記剥離紙４には、本例の図２、図４、図５および図６では、少なくとも１辺縁部の一部或いは全部又は１角隅部を未剥離部４ａとして残すための、または、４辺縁部を剥離部４ｂとしその内側を未剥離部４ａとして残すためのスリット１２が形成されている。
【００３７】
図２では、後に述べるように、違反車両に貼着したステッカー本体２を剥離する場合に、その剥離を一層容易にすることを目的として、剥離紙４の長手方向中央部を未剥離部４ａとして残すためのスリット１２が形成されており、剥離紙４の上辺縁部及び長手方向両側が剥離部４ｂとなっている。
【００３８】
また、剥離紙４の下辺縁部及び長手方向中央部を未剥離部４ａとして残しているので、雨水が違反車両と貼着したステッカー本体２との間に入っても、剥離紙４の下辺縁部の未剥離部４ａから抜けるので、ステッカー本体２と違反車両との間に雨水は溜まらない。
【００３９】
また、スリット１２はＵ型にカーブして形成されており、このように直角な部分を持たないことが好ましい。直角な部分が存在する場合、プリンタでの違反情報記録時や携帯時に角がきっかけとなって剥離紙４が剥離するおそれがある。
【００４０】
図４、図５、図６は剥離紙４に形成されたスリット１２の他例を示すものであって、図４では、剥離紙４の下辺縁部を未剥離部４ａとして残すためのスリット１２が形成されている。図５では、剥離紙４の１角隅部を未剥離部４ａとして残すためのスリット１２が形成されている。また、図６では、前記剥離紙４に、４辺縁部を剥離部４ｂとし、内側を未剥離部４ａとして残すためのスリット１２が形成されている。
【００４１】
前記剥離紙４に形成されたスリット１２によってステッカー本体２の裏面に形成される未剥離部４ａと剥離部４ｂにあっては、後に述べるように、違反車両に貼着したステッカー本体２を剥離する場合に、その剥離を一層容易にするためには、未剥離部４ａを大きくとり、剥離部４ｂを小さくして、貼着面積を小さくすることが望ましく、かかる点からすれば、図４、図５に示すスリット１２に比べ未剥離部４ａが大きく、剥離部４ｂが小さい図２に示すスリット１２や図６に示すスリット１２が好ましい。
【００４２】
また、前記ステッカー本体２は、後述するように車両から剥離後、ステッカー本体２に設けられている折り線表示部５から裏面を向かい合わせにして裏面同士を重ねるように折り返す際、本例のように、折り線表示部５がステッカー本体２の長手方向の中間位置に設けられている場合は、ステッカー本体２の上辺と下辺を一致するように折ることが求められるが、図２に示すように形成されたスリット１２によれば、ステッカー本体２の上下いずれかの１辺縁部及び長手方向中央部に剥離紙４が未剥離部４ａとして残り、ステッカー本体２の長手方向両側の剥離紙４が剥離されて、この部分にのみ再剥離粘着剤層３が露出することになるので、ステッカー本体２の上辺と下辺を一致するように折る際に、再剥離粘着剤層３が障害になることが少なく、ステッカー本体２の上辺と下辺を一致させ易い。
【００４３】
・厚さ
本発明における駐車違反ステッカーの厚さは、特に制限されないが、ステッカー本体２、再剥離粘着剤層３および剥離紙４を含めた総厚で、１００〜１５０μｍ、好ましくは、１２０〜１４０μｍ程度が好適である。厚くなりすぎると、小型プリンタで印字する際に走行に障害が生じたり、後に述べるように、表面にステッカー本体単票表示部が連続して表示された帯状のテッカー本体連続表示シートの裏面に再剥離粘着剤層と帯状の剥離紙が設けられたステッカー基シートから、ステッカー本体単票を切り離してステッカー本体として使用する場合に、ステッカー基シートをロール状にして携帯するため軽量であることが望ましい。
【００４４】
・その他
上記のように構成された駐車違反ステッカーによれば、表面を違反情報記録面１としたステッカー本体２の裏面全部に、再剥離粘着剤層３と剥離紙４が設けられているので、駐車違反ステッカーに厚さの変化がなく、また、カールも少ないことから、プリンタを使用する違反情報等の記録を障害無く容易に行うことができる。
【００４５】
また、再剥離粘着剤層３と剥離紙４との間の剥離強度が強く、プリンタを使用する違反情報等の記録を剥離紙の剥がれといった障害を起こすことなく容易に行うことができる。
【００４６】
また、本例の図２、図４または図５に示すように、前記剥離紙４には、少なくとも１辺縁部の一部或いは全部又は１角隅部を未剥離部４ａとして残すためのスリット１２が形成されているので、違反車両に貼着するに際し、ステッカー本体２の再剥離粘着剤層３に設けた剥離紙４のうち、スリット１２で分離されている１辺縁部の一部或いは全部又は１角隅部の未剥離部４ａを残し、剥離部４ｂを除去し、違反車両に貼着すると、ステッカー本体２の剥離紙４の一部が残っている１辺縁部の一部或いは全部又は１角隅部の未剥離部４ａが被貼着面から浮いた状態となり、ステッカー本体２を違反車両の被貼着面から剥離する際に、前記ステッカー本体２の被貼着面から浮いた部分を摘むことにより、容易に且つ綺麗に剥離することができる。
【００４７】
また、図６に示すように、前記剥離紙４に、４辺縁部を剥離部４ｂとし、内側を未剥離部４ａとして残すためのスリット１２が形成されていると、違反車両に貼着するに際し、ステッカー本体２の再剥離粘着剤層３に設けた剥離紙４のうち、スリット１２で分離されている内側の未剥離部４ａを残し剥離部４ｂを除去し、違反車両に貼着することにより、ステッカー本体２と違反車両の接着部分が少なく、ステッカー本体２を違反車両の被貼着面から剥離する際に、容易に且つ綺麗に剥離することができる。また、前記のように内側を未剥離部４ａとしたステッカー本体２を違反車両に貼着する際、ステッカー本体２の下端縁に露出する再剥離粘着剤層３に、例えば、別紙注意書等を貼って違反車両に貼着すれば、注意書等を貼った部分が被貼着面から浮いた状態となり、ステッカー本体２を違反車両の被貼着面から剥離する際に、前記ステッカー本体２の被貼着面から浮いた部分を摘むことにより、容易に且つ綺麗に剥離することができるものとなる。  
また、本例では、違反車両に貼着したステッカー本体２を剥離した後、このステッカー本体２に未剥離部４ａとして残っている剥離紙４を除去するとともに、ステッカー本体２を前記折り線表示部５から山折りしてステッカー本体２の裏面同士を接着することにより、再剥離粘着剤層３が露出して貼り付いたりベタ付くことがなく、ステッカー本体２の取り扱いが容易となり、また皺が付き難くなるので、読み取り装置によるステッカー本体２の違反情報記録面１に記録されている違反情報の読み取りを容易に行うことができる。
【００４８】
また、ステッカー本体２に未剥離部４ａとして残っている剥離紙４を除去せずに、ステッカー本体２を前記折り線表示部５から山折りしてステッカー本体２の裏面同士を接着することにより、ステッカー本体２の裏面に露出している再剥離粘着剤層３を隠蔽することもできる。
【００４９】
［第２例］
図７乃至図１０は本発明に係る駐車違反ステッカーを実施するための最良の形態の第２例を示したもので、図７は本例の平面図、図８は図７の一部拡大底面図、図９は剥離紙からステッカー本体を剥離している状態を示す斜視図、図１０は剥離紙からステッカー本体を剥離した状態を示す斜視図である。
【００５０】
本例の駐車違反ステッカーは、表面長手方向に違反情報記録面１を有するステッカー本体単票表示部１３が連続して表示された帯状のステッカー本体連続表示シート１４の裏面に、再剥離粘着剤層３と帯状の剥離紙４が設けられてステッカー基シート１５が形成されている。
【００５１】
・折り線表示部、違反情報記録面
前記ステッカー本体単票表示部１３には、前記剥離紙４を剥離した後、その裏面同士を重ねるように折り返し、裏面に露出している再剥離粘着剤層３を隠蔽するための折り返し位置を表示する折り線表示部５が設けられている。本例では、前記第１例と同様に、長手方向の中間位置で区分けされ、前記中間位置に折り線表示部５が設けられており、前記折り線表示部５の両側の面が前記違反情報記録面１となっており、前記違反情報記録面１には、駐車違反マーク６や違反確認日時、確認者、連絡先、違反状況等の違反情報及び違反車両情報を表示するバーコード等を記録する違反情報記録欄７や違反者に対する注意事項を記載した注意事項表示部８が設けられている。違反情報記録面１における各欄および各事項のレイアウトは適宜設定可能である。
【００５２】
また、前記ステッカー本体単票表示部１３の表面に設けられた折り線表示部５にあっては、折り線表示部５の位置で正確に折り、かつ折り易くするために、本例ではミシン目で形成されている。ミシン目の他に、印刷によって直線や点線を表示するなどしてもよい。
【００５３】
また、ミシン目の場合は、長手方向のそれぞれの両端に達しないように形成することが好ましい。両端までミシン目が形成されている場合、プリンタでの違反情報記録時、あるいは後述するようにロール状にして携帯する際に、その部分から剥がれ易くなるおそれがある。
【００５４】
・ステッカー本体連続表示シート
前記ステッカー本体単票表示部１３が連続して表示された帯状のステッカー本体連続表示シート１４も、前記第１例と同様に、紙、合成紙、合成樹脂シート等、特に限定されるものではないが、屋外で使用されることから、耐水性、耐熱性、耐光性等に優れるものが好ましい。
【００５５】
本例では、第１例と同様に、ステッカー本体連続表示シート１４として、紙が用いられており、その裏面にポリプロピレン、ポリエチレン、ポリエチレンテレフタレート等の合成樹脂フィルムが積層されている。
【００５６】
また、ステッカー本体２となるステッカー本体単票表示部１３の前記違反情報記録面１の違反情報記録欄７への違反確認日時、確認者、連絡先、違反状況等の違反情報及び違反車両情報を表示するバーコード等の記録は、サーマルプリンタにより印字して記録できるようになっており、そのため、本例でステッカー本体連続表示シート１４に用いられている紙は、第１例と同様に、その表面に感熱記録層を設けた感熱紙となっている。
【００５７】
なお、本例では、サーマルプリンタは携帯可能に小型化されたものがあり、好適であるため感熱紙としているが、この他に、ドットインパクトプリンタ、レーザープリンタ、インクジェットプリンタにより印字して記録できるようにしてもよいことはもちろんであり、インクジェットプリンタの場合は、ステッカー本体連続表示シート１４に用いられている紙として普通紙タイプあるいはインク受理層を設けた塗工紙タイプのインクジェット記録用紙が用いられることになる。
【００５８】
・再剥離粘着剤層
前記ステッカー本体連続表示シート１４の裏面には、前記再剥離粘着剤層３が設けられているが、前記第１例と同様に、再剥離粘着剤層３には公知の再剥離粘着剤が使用されるものであって、特に限定されない。再剥離粘着剤とは、伝言や取り次ぎ事項等を記入した後、剥がし取ってデスク等に貼り付けることができるメモ用紙等に使用される粘着剤であり、アクリルエマルジョン系の弱粘着剤等が挙げられるが、本発明では、車両から簡単に剥がれ落ちることがないように強固に接着しつつ、剥離可能であるものが好ましい。
【００５９】
・剥離紙
また、前記再剥離粘着剤層３に設けられている剥離紙４にあっては、第１例と同様に、耐湿性を有するグラシン紙が使用される。剥離紙４は、スレッカー本体２を違反車両に貼着する使用時に剥がれ易く、携帯時は剥離紙４の剥がれが起こらない必要があるが、本例のように、表面にステッカー本体単票表示部１３が連続して表示された帯状のステッカー本体連続表示シート１４の裏面に再剥離粘着剤層３と帯状の剥離紙４が設けられたステッカー基シート１５から、後述するステッカー本体単票を切り離してステッカー本体２として使用する場合は、特にステッカー基シート１５がロール状にされることにより、ステッカー本体２から剥離紙４の端部が剥離するといった障害が起こり易い。更に、本発明ではスリットが形成されているため、剥離紙４の剥がれがより起こり易い。
【００６０】
従って、本発明においては、一般のラベル等に比べて強い剥離強度を有することが望ましく、１８０°剥離試験（速度０．３ｍ／分）において２００ｍＮ／５０ｍｍ以上、好ましくは、３００ｍＮ／５０ｍｍ以上、より好ましくは、４００ｍＮ／５０ｍｍ以上であると好適である。剥離強度の上限は特に制限されないが、２０００ｍＮ／５０ｍｍ以下程度である。
【００６１】
上記のような剥離強度は、粘着剤の種類、剥離紙４の種類、およびその他の加工条件によって適宜調整可能である。剥離紙４としては、一般のラベル等で使用されるシリコーン加工した剥離紙の他、蒸しパンやお菓子などの食料品の台紙として使用されるグラシン紙やパラフィン紙が挙げられるが、これらに限定されるものではない。
【００６２】
・ミシン目
また、前記ステッカー基シート１５には、前記長手方向に連続して表示されている各ステッカー本体単票表示部１３を仕切る位置に切断用のミシン目１６が設けられ、該ミシン目１６で仕切られてステッカー基シート１５にステッカー本体２となるステッカー本体単票１７及び剥離紙単票４Ａが構成される。
【００６３】
・スリット
前記ステッカー本体単票１７にあっては、該ミシン目１６で仕切られたステッカー基シート１５内、即ちステッカー本体連続表示シート１４内で、更にスリット１８で区画され、この区画内に前記ステッカー本体単票表示部１３が表示されている。
【００６４】
なお、図７においては、ステッカー本体連続表示シート１４の左辺縁部が余白（耳部）となっているが、後に示す図１１と同様に、余白はなくてもよい。
【００６５】
また、前記ミシン目１６で仕切られた各剥離紙単票４Ａにあっては、前記第１例と同様に、前記ステッカー本体単票１７の、少なくとも１辺縁部の一部或いは全部又は１角隅部を未剥離部４ａとして残すためのスリット１２が形成されている。
【００６６】
本例も、前記第１例と同様に、違反車両に貼着したステッカー本体２となるステッカー本体単票１７を剥離する場合に、その剥離を一層容易にすることを目的として、図８では剥離紙単票４Ａの下辺縁部及び長手方向中央部を未剥離部４ａとして残すためのスリット１２が形成されており、剥離紙４の上辺縁部及び長手方向両側が剥離部４ｂとなっている。
【００６７】
また、スリット１２はＵ型にカーブして形成されており、このように直角な部分を持たないことが好ましい。直角な部分が存在する場合、プリンタでの違反情報記録時や携帯時に角がきっかけとなって剥離紙４が剥離するおそれがある。
【００６８】
また、前記ステッカー本体２となるステッカー本体単票１７は、前記第１例と同様に、車両から剥離後、ステッカー本体単票１７の長手方向の中間位置に設けられている折り線表示部５から裏面を向かい合わせにして２つ折りする際、ステッカー本体単票１７の上辺と下辺を一致するように折ることが求められるが、図８に示すように形成されたスリット１２によれば、ステッカー本体単票１７の下辺縁部及び長手方向中央部に剥離紙単票４Ａが未剥離部４ａとして残り、ステッカー本体単票１７の長手方向両側の長手方向両側の剥離紙単票４Ａが剥離されて、この部分にのみ再剥離粘着剤層３が露出することになるので、ステッカー本体単票１７の上辺と下辺を一致するように折る際に、再剥離粘着剤層３が障害になることが少なく、ステッカー本体単票１７の上辺と下辺を一致させ易い。
【００６９】
・厚さ
本発明における駐車違反ステッカーの厚さは、特に制限されないが、ステッカー本体連続表示シート１４、再剥離粘着剤層３および剥離紙４を含めた総厚で、１００〜１５０μｍ、好ましくは、１２０〜１４０μｍ程度が好適である。厚くなりすぎると、小型プリンタで印字する際に走行に障害が生じたり、表面にステッカー本体単票表示部１３が連続して表示された帯状のテッカー本体連続表示シート１４の裏面に再剥離粘着剤層３と帯状の剥離紙４が設けられたステッカー基シート１５から、ステッカー本体単票１７を切り離してステッカー本体２として使用する場合に、ステッカー基シート１５をロール状にして携帯するため軽量であることが望ましい。１ロール当たりステッカー本体単票１７が５０部程度であることが適当であるが、プリンタの設定条件等によるためこれに限られるものではない。
【００７０】
・その他
上記のように構成された第２例の駐車違反ステッカーによれば、ステッカー本体単票表示部１３が連続して表示された帯状のステッカー本体連続表示シート１４の裏面に、再剥離粘着剤層３と帯状の剥離紙４が設けられてステッカー基シート１５が形成されているので、携帯時にはステッカー基シート１５を図７に示すようにロール状としておき、使用の際にステッカー基シート１５に設けられたミシン目１６からステッカー本体単票１７を切り離してステッカー本体２として使用することがきるので、取り扱いに便利となる。また、ステッカー基シート１５から切り離したステッカー本体単票１７からなるステッカー本体２は厚さの変化がないので、プリンタを使用する違反情報等の記録を障害無く容易に行うことができるものとなる。
【００７１】
また、再剥離粘着剤層３と剥離紙４との剥離強度が強く、ステッカー基シート１５をロール状にしてもステッカー本体２、即ち、ステッカー本体単票１７から剥離紙４、即ち、剥離紙単票４Ａの端縁が剥離するといった障害を起こすことなく、そして、ロール状のままプリンタに供給して違反情報等の記録を剥離紙４の剥がれといった障害を起こすことなく容易に行うことができる。
【００７２】
また、ステッカー基シート１５からステッカー本体単票１７を切り離すことなく、ロール状のままプリンタに供給して記録を行った後、ステッカー基シート１５からステッカー本体単票１７を切り離してステッカー本体２として使用することもできる。
【００７３】
この他に、前記第１例と同様、前記剥離紙単票４Ａには、少なくとも１辺縁部の一部或いは全部又は１角隅部を未剥離部４ａとして残すためのスリット１２が形成されているので、違反車両に貼着するに際し、ステッカー本体２の再剥離粘着剤層３に設けた剥離紙単票４Ａのうち、スリット１２で分離されている１辺縁部の一部或いは全部又は１角隅部の未剥離部４ａを残し、剥離部４ｂを除去し、違反車両に貼着すると、ステッカー本体２の剥離紙単票４Ａの一部が残っている１辺縁部の一部或いは全部又は１角隅部の未剥離部４ａが被貼着面から浮いた状態となり、ステッカー本体２を違反車両の被貼着面から剥離する際に、前記ステッカー本体２の被貼着面から浮いた部分を摘むことにより、容易に且つ綺麗に剥離することができる。
【００７４】
また、違反車両に貼着したステッカー本体２を剥離した後、このステッカー本体２に未剥離部４ａとして残っている剥離紙単票４Ａを除去するとともに、ステッカー本体２を前記折り線表示部５から山折りしてステッカー本体２の裏面同士を接着することにより、
再剥離粘着剤層３が露出して貼り付いたりベタ付くことがなく、ステッカー本体２の取り扱いが容易となり、また皺が付き難くなるので、読み取り装置によるステッカー本体２の違反情報記録面に記録されている違反情報の読み取りを容易に行うことができる。
【００７５】
また、ステッカー本体２に未剥離部４ａとして残っている剥離紙単票４Ａを除去せずに、ステッカー本体２を前記折り線表示部５から山折りしてステッカー本体２の裏面同士を接着することにより、ステッカー本体２の裏面に露出している再剥離粘着剤層３を隠蔽することもできる。
【００７６】
［第３例］
図１１乃至図１４は本発明に係る駐車違反ステッカーを実施するための最良の形態の第３例を示したもので、図１１は本例の平面図、図１２は図１１の一部拡大底面図、図１３は剥離紙からステッカー本体を剥離している状態を示す斜視図、図１４は剥離紙からステッカー本体を剥離した状態を示す斜視図である。
【００７７】
本例の駐車違反ステッカーは、基本構成を前記第２例と同じくするものであり、第２例と同じ構成には同様の符合を付して説明する。
【００７８】
本例の駐車違反ステッカーは、表面長手方向に違反情報記録面１を有するステッカー本体単票表示部１３が連続して表示された帯状のステッカー本体連続表示シート１４の裏面に、再剥離粘着剤層３と帯状の剥離紙４が設けられてステッカー基シート１５が形成され、該ステッカー基シート１５に、前記長手方向に連続して表示されている各ステッカー本体単票表示部１３を仕切る位置に切断用のミシン目１６が設けられている。
【００７９】
そして、前記ミシン目１６で仕切られた各剥離紙単票４Ａには、図６に示すスリット１２と同様の、ステッカー本体単票表示部１３毎にミシン目１６で仕切られたステッカー本体連続表示シート１５で構成されるステッカー本体２となるステッカー本体単票１７の、４辺縁部を剥離部４ｂとし、内側を未剥離部４ａとして残すためのスリット１２が形成されている。
【００８０】
このように、前記剥離紙単票４Ａに、４辺縁部を剥離部４ｂとし、内側を未剥離部４ａとして残すためのスリット１２が形成されているので、違反車両に貼着するに際し、ステッカー本体２の再剥離粘着剤層３に設けた剥離紙４のうち、スリット１２で分離されている内側の未剥離部４ａを残し剥離部４ｂを除去し、違反車両に貼着することにより、ステッカー本体２と違反車両の接着部分が少なく、ステッカー本体２を違反車両の被貼着面から剥離する際に、容易に且つ綺麗に剥離することができる。また、前記のように内側を未剥離部４ａとしたステッカー本体２を違反車両に貼着する際、ステッカー本体２の下端縁に露出する再剥離粘着剤層３に、例えば、別紙注意書等を貼って違反車両に貼着すれば、注意書等を貼った部分が被貼着面から浮いた状態となり、ステッカー本体２を違反車両の被貼着面から剥離する際に、前記ステッカー本体２の被貼着面から浮いた部分を摘むことにより、容易に且つ綺麗に剥離することができるものとなる。  
他の構成は前記第２例と同じくするものであり、第２例を援用してその説明を省略する。
【図面の簡単な説明】
【００８１】
【図１】本発明に係る駐車違反ステッカーを実施するための最良の形態の第１例を示した平面図。
【図２】図１の底面図。
【図３】図１のＡ−Ａ線断面図。
【図４】剥離紙に形成されたスリットの他例を示す説明図。
【図５】剥離紙に形成されたスリットの他例を示す説明図。
【図６】剥離紙に形成されたスリットの他例を示す説明図。
【図７】本発明に係る駐車違反ステッカーを実施するための最良の形態の第２例を示した平面図。
【図８】図７の一部拡大底面図。
【図９】剥離紙からステッカー本体を剥離している状態を示す斜視図。
【図１０】剥離紙からステッカー本体を剥離した状態を示す斜視図。
【図１１】本発明に係る駐車違反ステッカーを実施するための最良の形態の第３例を示した平面図。
【図１２】図１１の一部拡大底面図。
【図１３】剥離紙からステッカー本体を剥離している状態を示す斜視図。
【図１４】剥離紙からステッカー本体を剥離した状態を示す斜視図。
【符号の説明】
【００８２】
１  違反情報記録面
２  ステッカー本体
３  再剥離粘着剤層
４  剥離紙
４Ａ  剥離紙単票
４ａ  未剥離部
４ｂ  剥離部
５  折り線表示部
６  駐車違反マーク
７  違反情報記録欄
８  注意事項表示部
９  紙
１０  合成樹脂フィルム
１１  感熱記録層
１２  スリット
１３  ステッカー本体単票表示部
１４  ステッカー本体連続表示シート
１５  ステッカー基シート
１６  ミシン目
１７  ステッカー本体単票
１８  スリット
【図１】
2006195446.tif 000003
【図２】
2006195446.tif 000004
【図３】
2006195446.tif 000005
【図４】
2006195446.tif 000006
【図５】
2006195446.tif 000007
【図６】
2006195446.tif 000008
【図７】
2006195446.tif 000009
【図８】
2006195446.tif 000010
【図９】
2006195446.tif 000011
【図１０】
2006195446.tif 000012
【図１１】
2006195446.tif 000013
【図１２】
2006195446.tif 000014
【図１３】
2006195446.tif 000015
【図１４】
2006195446.tif 000016